(57)【要約】【課題】洗濯乾燥機の乾燥機能に吸湿材を用い、洗濯やすすぎ工程中に吸湿材の再生を行い、低温で衣類の乾燥を可能とし、衣傷みが少ない乾燥を可能とする。【解決手段】吸湿材よりなる除湿手段を回転させる回転駆動手段と、外気を導入し再生用加熱手段により加熱した空気で再生させ、循環風路を循環する乾燥用空気の吸湿と、前記除湿手段の再生を並行して実行可能にしたものである。【選択図】図１
2007075241.tif 000002
【特許請求の範囲】
【請求項１】
筐体内に支持された水槽と、前記水槽内に回転自在に設けられた回転槽と、前記回転槽を駆動する駆動手段と、前記回転槽に供給する乾燥用空気を除湿する吸湿材からなる除湿手段と、乾燥用空気を前記回転槽から前記除湿手段の吸湿側を経て前記回転槽へ循環させる循環風路と、前記循環風路に送風する送風手段と、前記除湿手段を回転させる回転駆動手段と、前記除湿手段の再生側に設けた再生用風路と、前記再生用風路の除湿手段の上流側に設けた再生用加熱手段により加熱した空気を前記除湿手段の再生側を通過させる排気送風手段と、前記回転駆動手段を制御する制御手段とを備え、前記制御手段は、前記除湿手段を回転させて、前記循環風路を循環する乾燥用空気の吸湿と、前記除湿手段の再生を並行して実行可能に構成した洗濯乾燥機。
【請求項２】
除湿手段の再生側を通過した空気を回転槽へ導く送風路を設け、前記除湿手段の再生側を通過した空気を回転槽へ供給可能に構成した請求項１記載の洗濯乾燥機。
【請求項３】
送風路は、再生用風路と循環風路を接続する構成とした請求項２記載の洗濯乾燥機。
【請求項４】
回転槽から除湿手段の吸湿側へ供給される空気を加熱する循環風加熱手段を設け、前記除湿手段の再生側と吸湿側を同時に再生可能に構成した請求項１〜３のいずれか１項に記載の洗濯乾燥機。
【請求項５】
除湿手段の再生風路側を通過した空気と、前記除湿手段の循環風路側を通過した空気を熱交換する熱交換部を設けた請求項１〜４のいずれか１項に記載の洗濯乾燥機。
【請求項６】
回転槽から除湿手段の吸湿側へ供給される空気を除湿する第２の除湿手段を設けた請求項１〜５のいずれか１項に記載の洗濯乾燥機。
【請求項７】
第２の除湿手段は、循環風路を通過する循環風を冷却ファンにより冷却する構成とした請求項６記載の洗濯乾燥機。
【請求項８】
第２の除湿手段は、循環風路を通過する循環風を冷却水により冷却する構成とした請求項６記載の洗濯乾燥機。
【請求項９】
筐体内に支持された水槽と、前記水槽内に回転自在に設けられた回転槽と、前記回転槽を駆動する駆動手段と、前記回転槽に供給する乾燥用空気を除湿する吸湿材からなる除湿手段と、前記除湿手段へ外気を導入する吸気風路と、前記除湿手段を再生する加熱手段と、前記除湿手段より乾燥用空気を前記回転槽へ送る送風手段と、前記回転槽より高湿空気を排出す排気風路とを具備した洗濯乾燥機。
【発明の詳細な説明】
【技術分野】
【０００１】
本発明は、洗濯・脱水と乾燥を同一回転槽内で行う洗濯乾燥機に関するものである。
【背景技術】
【０００２】
従来の全自動洗濯乾燥機は、衣類の乾燥時に送風手段とヒータ等の加熱手段を用いて回転する回転槽内の衣類等より水分を蒸発させ、その蒸気を外部に排出するタイプや、空冷や水冷等の熱交換で蒸気を結露回収し、ドレン水として排出するタイプのものが一般的であった。しかし、この様な高温の熱風により衣類等の水分を蒸発させるタイプでは、衣類の乾燥に大きなエネルギーを使用するだけでなく、その温度により衣類（繊維）に悪影響を与え、衣類の縮みやしわ、変質等の原因となっていた。
【０００３】
また、衣類等より蒸発した水分を回収するのに、吸湿材により、蒸発した水分を回収する方式もあり、この方式の場合、大量に吸湿材を使用しない限り、乾燥終了後または乾燥しない時間に吸湿材の再生を行う必要があり、その分トータルの乾燥所要時間が長くなっていた。また、除湿材と加熱手段を併用して乾燥時間を短縮し、熱交換時に使用する水量を削減するものが考えられている（例えば、特許文献１参照）。
【特許文献１】特開平９−９４３８８号公報
【発明の開示】
【発明が解決しようとする課題】
【０００４】
特許文献１に開示の方式では、加熱手段による方式と同様に、高温の熱風で衣類から水分を蒸発させる点で衣類（繊維）に縮みやシワ、変質等の悪影響を与える点は解消できていない。さらに、洗濯時やすすぎ、脱水時に吸湿材の再生を行う再生風路が、回転槽の衣類等の乾燥を行う循環風路を通過する構成のため、洗濯やすすぎ、脱水時に回転槽内に存在する水分により高湿度となった空気が循環風路に入って循環し吸湿材を通過する。このため、加熱手段によりこの空気を加熱し、相対湿度は低下しても水分の絶対量は多いため、吸湿材の再生能力が低下し、必要以上の吸着材の量を使用しなければならなくなるという課題があった。
【０００５】
本発明は、上記従来の課題を解決するもので、再生のための時間を設けなくても吸湿材の再生が可能で、乾燥用空気の温度を上げなくても衣類からの蒸発を促進できる洗濯乾燥機を提供することを目的とする。
【課題を解決するための手段】
【０００６】
前記従来の課題を解決するために、本発明の洗濯乾燥機は、未乾燥衣類を有する回転槽内に供給する乾燥用空気を除湿する吸湿材からなる除湿手段と、乾燥用空気を回転槽から前記除湿手段の吸湿側を経て前記回転槽へ循環させる循環風路と、前記循環風路に送風する送風手段と、前記除湿手段を回転させる回転駆動手段と、前記除湿手段の再生側に設けた再生用風路と、前記再生用風路の除湿手段の上流側に設けた再生用加熱手段により加熱した空気を前記除湿手段の再生側を通過させる排気送風手段と、前記回転駆動手段を制御する制御手段とを備え、前記制御手段は、前記除湿手段を回転させて、前記循環風路を循環する乾燥用空気の吸湿と、前記除湿手段の再生を並行して実行可能にしたものである。
【０００７】
この構成により、再生のための時間を設けなくても洗濯やすすぎ工程中に吸湿材を再生すことができ、しかも洗濯中の回転槽内を通過せず、常に湿度の低い外気をにより再生されるため、吸湿後の空気はかなり乾燥状態にあり、特に温度を上げなくても、衣類からの蒸発を促進できる。このため乾燥用のヒータを用いて相対湿度を下げなくとも低温低湿の空気で乾燥でき、乾燥用ヒータを用いた高温風により衣類（繊維）に悪影響（衣類の縮みやしわ、変質等）を及ぼすことを防止でき、乾燥用ヒータを使用しないため、電気代等の節約にもなる。
【発明の効果】
【０００８】
本発明の洗濯乾燥機は、低温低湿の空気で乾燥でき、熱による衣類（繊維）への悪影響を防止することができるとともに、電気の消費量を少なくすることができる。
【発明を実施するための最良の形態】
【０００９】
第１の発明は、筐体内に支持された水槽と、前記水槽内に回転自在に設けられた回転槽と、前記回転槽を駆動する駆動手段と、前記回転槽に供給する乾燥用空気を除湿する吸湿材からなる除湿手段と、乾燥用空気を前記回転槽から前記除湿手段の吸湿側を経て前記回転槽へ循環させる循環風路と、前記循環風路に送風する送風手段と、前記除湿手段を回転させる回転駆動手段と、前記除湿手段の再生側に設けた再生用風路と、前記再生用風路の除湿手段の上流側に設けた再生用加熱手段により加熱した空気を前記除湿手段の再生側を通過させる排気送風手段と、前記回転駆動手段を制御する制御手段とを備え、前記制御手段は、前記除湿手段を回転させて、前記循環風路を循環する乾燥用空気の吸湿と、前記除湿手段の再生を並行して実行可能にしたことにより、再生のための時間を設けなくても吸湿材を再生すことができ、しかも常に湿度の低い外気により再生されるため、吸湿後の空気はかなり乾燥状態にあり、特に温度を上げなくても、衣類からの蒸発を促進できる。このため乾燥用のヒータを用いて相対湿度を下げなくとも低温低湿の空気で乾燥でき、高温により衣類（繊維）に悪影響（衣類の縮みやしわ、変質等）を及ぼすことを防止でき、乾燥用加熱手段を使用しないため、電気代等の節約にもなる。
【００１０】
第２の発明は、特に、第１の発明の除湿手段の再生側を通過した空気を回転槽へ導く送風路を設け、前記除湿手段の再生側を通過した空気を回転槽へ供給可能に構成したことにより、洗濯やすすぎ時に吸湿材を再生するための加熱手段による加熱風を除湿手段の吸湿材を通過後、回転槽を通過して外部に排気させ、回転槽内の洗濯水や衣類の温度を上昇させ、洗濯やすすぎの性能を向上させるため、廃熱を有効利用しており省エネが実現可能となる。
【００１１】
第３の発明は、特に、第２の発明の送風路は、再生用風路と循環風路を接続する構成としたことにより、洗濯やすすぎ時に吸湿材を再生するための加熱手段による加熱風を除湿手段の吸湿材を通過後、回転槽を通過して外部に排気させ、回転槽内の洗濯水や衣類の温度を上昇させ、洗濯やすすぎの性能を向上させるとともに、排出する熱を有効利用しており省エネが実現可能となる。
【００１２】
第４の発明は、特に、第１〜第３のいずれか１つの発明の回転槽から除湿手段の吸湿側へ供給される空気を加熱する循環風加熱手段を設け、前記除湿手段の再生側と吸湿側を同時に再生可能に構成したことにより、乾燥工程中以外の時間での除湿手段の再生を吸湿側吸着剤も同時に再生できるため、より短時間に吸湿材全体の再生が可能で、しかもこれら熱風は回転槽を通過して回転槽内の洗濯水や衣類の温度を上昇させることに利用できるため、洗濯やすすぎの性能を大幅に向上させるとともに、排出する熱を有効利用しており省エネが実現可能となる。
【００１３】
第５の発明は、特に、第１〜第４のいずれか１つの発明の除湿手段の再生風路側を通過した空気と、前記除湿手段の循環風路側を通過した空気を熱交換する熱交換部を設けたことにより、乾燥工程中に除湿手段の再生を行い、外気に排気される空気の熱を受け取り、乾燥に使用する循環空気の温度を高めることができるため、循環空気の相対湿度を下げ、衣類の乾燥時間を短縮することができる。また、排気する熱を有効に利用できるものでもある。
【００１４】
第６の発明は、特に、第１〜第５のいずれか１つの発明の回転槽から除湿手段の吸湿側へ供給される空気を除湿する第２の除湿手段を設けたことにより、回転槽から出た多湿の循環空気をあらかじめ除湿した後、除湿手段を通過させることができるため、除湿能力が高まるとともに、除湿手段の吸湿材量を少なく小型にすることができる。
【００１５】
第７の発明は、特に、第６の発明の第２の除湿手段は、循環風路を通過する循環風を冷却ファンにより冷却する構成としたことにより、回転槽から出た高湿の循環空気をあらかじめ除湿した後、除湿手段を通過させることができるため、除湿能力が高まるとともに、除湿手段の吸湿材量をより少なく小型にすることができる。
【００１６】
第８の発明は、特に、第６の発明の第２の除湿手段は、循環風路を通過する循環風を冷却水により冷却する構成としたことにより、回転槽から出た高湿の循環空気を確実に除湿した後、除湿手段を通過させることができるため、除湿能力が高まるとともに、除湿手段の吸湿材量をより少なく小型にすることができる。
【００１７】
第９の発明は、筐体内に支持された水槽と、前記水槽内に回転自在に設けられた回転槽と、前記回転槽を駆動する駆動手段と、前記回転槽に供給する乾燥用空気を除湿する吸湿材からなる除湿手段と、前記除湿手段へ外気を導入する吸気風路と、前記除湿手段を再生する加熱手段と、前記除湿手段より乾燥用空気を前記回転槽へ送る送風手段と、前記回転槽より高湿空気を排出す排気風路とを具備したことにより、除湿手段で除湿した乾燥用空気を前記循環風路と、排気風路とに切り換え可能であり、洗濯からすすぎ、脱水中に除湿手段の再生を行うことができ、前記除湿手段の再生側を通過した空気をそのまま排気するのではなく、洗濯やすすぎ時に吸湿材を再生するための加熱手段による加熱風を除湿手段の吸湿材を通過後、回転槽を通過して外部に排気させ、回転槽内の洗濯水や衣類の温度を上昇させ、洗濯やすすぎの性能を向上させるため、排気する熱を有効利用しており省エネが実現可能となる。また、除湿手段を回転させる複雑な風路を構成することなく簡単に構成できるものである。
【００１８】
以下、本発明の実施の形態について、図面を参照しながら説明する。なお、本実施の形態によって本発明が限定されるものではない。
【００１９】
（実施の形態１）
図１は、本発明の第１の実施形態における洗濯乾燥機の縦断面を簡略化した構成図である。図１に示すように、筐体１の内部には、筐体１に支持された円筒状の水槽２を設け、水槽２の内部には、衣類３を収容する円筒状で横軸型の回転槽４を回転可能に設け、駆動モータ５により回転駆動される。また、回転槽４の円筒部側壁には多数の少孔４ｂが設けられ、脱水時の水や乾燥時の循環風の排出口となっている。また、筐体１の前面には衣類３を出し入れする開口部１ａと、これを開閉する扉６が設けられている。また、水槽２および回転槽４の前面側にも同様の開口部２ａ、４ａを有し、この水槽２の開口部２ａはベローズ７等によって筐体１の開口部１ａと水密に連結されている。さらに、水槽２の底部には洗濯水を排出する排水口８を有し排水弁９に連結されている。
【００２０】
乾燥用の循環風は、送風機１０により、水槽２および回転槽４に設けた吹き出し口部２ｃ、４ｃより回転槽４内の衣類３に吹き付けられる。水槽２の排気口２ｄより循環風路１１により、吸湿材（図示せず）を充填した除湿手段１２の吸湿側１２ａにつながっている。除湿手段１２は除湿手段駆動モータ１３により回転駆動され、吸湿側１２ａと再生側１２ｂに分離されている。再生側１２ｂの上流側には再生用加熱ヒータ１４を備え、筐体１に設けた吸気口１５とつながっている。
【００２１】
また、除湿手段１２の再生側１２ｂの下流側には排気ファン１６があり、筐体１に設けた排気口１７につながっている。除湿手段１２の吸湿側の下流には送風機１０につながる循環風路１１が設けられている。１８は水槽２内に水を供給するための給水弁で水道蛇口１９につながっている。２０は洗濯乾燥機の運転を制御する制御部である。
【００２２】
以上のような構成において、次に、本実施の形態の動作について説明する。制御部２０により、洗浄工程では、排水弁９を閉じた状態で水槽２内に所定の水位に達するまで給水弁１８を開いて注水を行い、駆動モータ５により衣類３と洗浄水の入った回転槽４を回転させて洗浄を行う。また、洗浄後の濯ぎ工程でも、洗浄工程と同様に水槽２内に給水され、回転槽４を回転させて衣類３濯ぎを行う。また、脱水工程は、排水弁１８を開いて機外へ水を排水した後、駆動モータ５により衣類３の入った回転槽４を高速回転して脱水する。
【００２３】
上記洗濯・脱水時・脱水時には、制御部２０により、送風機１０は運転されず、排気ファン１６および除湿手段駆動モータ１３を運転し、再生用加熱手段１４に通電し、吸気口１５より取り入れた外気を加熱し、除湿手段１２の再生側１２ｂにある除湿材の再生（除湿材より水分を蒸発させる）を行い、排気ファン１６によって排気口１７より外部に排気される。このとき、除湿手段１２は除湿手段駆動モータ１３により回転されているため、再生側１２ｂにある除湿材が順次移動し、１回転することにより除湿手段１２の再生を完全に完了することができる。
【００２４】
また、乾燥時には送風機１０を運転し、再生側１２ｂで再生しながら吸湿側１２ａで並行して吸湿を行い、乾燥した空気を回転槽４内の衣類３にあて衣類３から水分を蒸発させ衣類３を乾燥する。その水分を除湿手段１２の吸湿側１２ａで再度吸湿し、除湿手段１２の回転により再生側１２ｂに移動したときに再生用加熱手段１４で加熱された空気により水分を吸湿材から蒸発し外気に放出するようにしている。
【００２５】
これにより、衣類３の量や種類により蒸発水分量が変化しても、除湿手段１２の吸湿材量を増やす必要がなく、さらに乾燥開始前にすでに除湿手段１２の再生が完了した状態となっているため、乾燥当初から除湿手段１２能力を１００％発揮でき、乾燥性能を向上させることができる。また、再生用の空気は常に湿度の低い外気により再生される構成ため、吸湿後の空気はかなり乾燥状態にあり、特に温度を上げなくても、衣類からの蒸発を促進できる。このため乾燥用のヒータを用いて相対湿度を下げなくとも低温低湿の空気で乾燥でき、高温により衣類（繊維）に悪影響（衣類の縮みやしわ、変質等）を及ぼすことを防止でき、乾燥用加熱手段を使用しないため、電気代等の節約にもなる。
【００２６】
（実施の形態２）
図２は、本発明第２の実施の形態における洗濯乾燥機の縦断面を簡略化した構成図である。図２に示すように、除湿手段１２の再生側１２ｂから排気口１７へ通じる排気通路２１を分岐し、回転槽４へ通じる送風路２２と、回転槽４より外気へ排気する排気口１７ａに通じる第２の排気風路２３とを有している。また、分岐部には風路を切り換える切り換え弁２４が設けられ、制御部２０からの信号により駆動用アクチェター（図示せず）等で切り換えが可能となっている。
【００２７】
洗濯やすすぎ工程中に切り換え弁２４を回転槽４へつながるように切り換えることにより、再生用加熱ヒータ１４により除湿手段１２の再生を行った後の空気をそのまま外気に排気するのではなく、回転槽４へ供給し、洗濯やすすぎ時に回転槽４を通過して排気口１７より外部に排気させ、回転槽４内の洗濯水や衣類の温度を上昇させ、洗濯やすすぎの性能を向上させることができる。また、排気する熱を有効利用することができ、エネルギーの有効利用にもなる。
【００２８】
（実施の形態３）
次に、図３に基いて実施の形態３における洗濯乾燥機について説明する。図３は実施の形態３における洗濯乾燥機の縦断面を簡略化した構成図である。図３のように、除湿手段１２の再生側１２ｂから排気口１７へ通じる排気通路２１を分岐し、循環風路１１へつながる送風路２２ａを設け、分岐部には風路を切り換える切り換え弁２４が設けられ、制御部２０からの信号により駆動用アクチェター（図示せず）等で切り換えが可能となっている。
【００２９】
この構成により、風路構成が簡単となり、洗濯やすすぎ時に吸湿材を再生するための加熱手段による加熱風を除湿手段１２の吸湿材を通過後、送風機１０の運転により回転槽４を通過して外部に排気させ、回転槽４内の洗濯水や衣類の温度を上昇させ、洗濯やすすぎの性能を向上させるこができる。また、排熱を有効利用しており省エネが実現可能となる。また、洗濯やすすぎ時の除湿手段１２の再生では送風機１０のみを運転すればよく、排気ファン１６の運転は不要である。さらに、送風機１０、排気ファン１６を両方運転してもよく、その場合は通過風量が増加し、再生能力を高めることができる。
【００３０】
（実施の形態４）
次に、図４、図５に基づいて実施の形態４における洗濯乾燥機について説明する。図４、図５は実施の形態４における洗濯乾燥機の縦断面を簡略化した構成図である。図４のように、回転槽４から除湿手段１２の吸湿側１２ａへ供給される空気を加熱する循環風加熱用ヒータ２５を設けている。
【００３１】
この構成によれば、再生用加熱ヒータ１４と循環風加熱用ヒータ２５を同時に運転し、洗濯やすすぎ工程時に除湿手段１２の再生を吸湿側１２ａも同時に再生できるため、より短時間に除湿手段１２の再生が可能で、これら熱風は回転槽４を通過して回転槽４内の洗濯水や衣類３の温度を上昇させることに利用できるため、洗濯やすすぎの性能を大幅に向上させるとともに、排出する熱を有効利用しており省エネ効果がある。また、図５に示すように、排気通路２１に切り換え弁２４を設け循環通路１１へ接続する構成であってもよい。
【００３２】
（実施の形態５）
次に、図６に基いて実施の形態５における洗濯乾燥機について説明する。図６は実施の形態５における洗濯乾燥機の縦断面を簡略化した構成図である。図６のように、除湿手段１２の再生側１２ｂを通過した空気と、除湿手段１２の吸湿側１２ａを通過した空気を熱交換する熱交換器２６を設けている。
【００３３】
この構成により、再生用加熱ヒータ１４により加熱され外部に排気される空気と、吸湿側１２ａで除湿され、回転槽４に入る空気を熱交換することにより、乾燥工程中にも除湿手段１２の再生中に、外気に排気される空気の熱を受け取り、乾燥に使用する循環空気の温度を適度に高めることができるため、循環空気の相対湿度を下げ、衣類３を傷めずに乾燥時間を短縮することができる。また、排気する熱を有効に利用できるものでもある。
【００３４】
（実施の形態６）
次に、図７、８に基づいて実施の形態６における洗濯乾燥機について説明する。図７は実施の形態６における洗濯乾燥機の縦断面を簡略化した構成図である。図７のように、回転槽４から除湿手段１２の吸湿側１２ａへ供給される空気を除湿する空冷用熱交換器２７と空冷用熱交換器２７のフィン部２７ａと、空冷用熱交換器２７を冷却する冷却ファン２８を設けている。
【００３５】
この構成により、回転槽４から出た多湿の循環空気をあらかじめ空冷用熱交換器２７と冷却ファン２８により除湿した後、除湿手段１２の吸湿側１２ａを通過させることができるため、除湿手段１２の除湿能力を低く構成することができ、除湿手段１２の吸湿材量を少なく小型にすることができる。
【００３６】
また、図８に示すように循環風路１１に水冷用熱交換器２９と水冷用熱交換器２９を冷却する冷却水通路３０を備えている。この構成により、空冷方式より冷却能力が高いため、通過する循環風を冷却水により冷却するため、除湿手段１２の除湿能力をより低く構成することができ、除湿手段１２の吸湿材量をより少なく、小型にすることができる。
【００３７】
（実施の形態７）
次に、図９に基いて実施の形態７における洗濯乾燥機について説明する。図９は実施の形態７における洗濯乾燥機の縦断面を簡略化した構成図である。図９のように、筐体１の内部には、筐体１に支持された円筒状の水槽２を設け、水槽２の内部には、衣類３を収容する円筒状で横軸型の回転槽４を回転可能に設け、駆動モータ５により回転駆動される。また、回転槽４の円筒部側壁には多数の少孔４ｂが設けられ、脱水時の水や乾燥時の循環風の排出口となっている。また、筐体１の前面には衣類３を出し入れする開口部１ａと、これを開閉する扉６が設けられている。また、水槽２および回転槽４の前面側にも同様の開口部２ａ、４ａを有し、この水槽２の開口部２ａはベローズ７等によって筐体１の開口部１ａと水密に連結されている。さらに、水槽２の底部には洗濯水を排出する排水口８を有し排水弁９に連結されている。
【００３８】
乾燥用の循環風は、送風機１０により、水槽２および回転槽４に設けた吹き出し口部２ｃ、４ｃより回転槽４内の衣類３に吹き付けられる。循環風路１１は、水槽２の排気口２ｄより出て吸湿材（図示せず）を充填した除湿手段１２につながり、送風機１０に戻る構成となっている。循環風路１１の除湿手段１２の上流側には再生用加熱ヒータ１４を備え、その上流側には筐体１に設けた排気口１７につながる排気切り換え弁３２、吸気口１５とつながる吸気切り換え弁３１が設けられている。１８は水槽２内に水を供給するための給水弁で水道蛇口１９につながっている。２０は洗濯乾燥機の運転を制御する制御部である。
【００３９】
このような構成において、洗濯・脱水時・脱水時には、制御部２０により、吸気切り換え弁３１を吸気口１５側に、排気切り換え弁３２を排気口１７側に切り換え、再生用加熱手段１４に通電し、送風機１０の運転により吸気口１５より取り入れた外気を加熱し、除湿手段１２の除湿材の再生を行い、回転槽４を通過して排気口１７より外部に排気されるようになっている。
【００４０】
また、乾燥時には吸気切り換え弁３１および排気切り換え弁３２を循環風路１１側に切り換え、送風機１０を運転し、回転槽４から排出する湿めった空気を除湿手段１２により吸湿し、乾燥した空気を回転槽４内の衣類３にあて、再度衣類３から水分を蒸発させることを繰り返し衣類３を乾燥させるため、比較的低温で乾燥でき衣類３の傷みも少ない。
【００４１】
また、洗濯からすすぎ、脱水中に除湿手段１２の再生を行うことができ、除湿手段１２を通過した空気をそのまま排気するのではなく、洗濯やすすぎ時に吸湿材を再生するための再生用加熱ヒータ１４による温風を回転槽４を通過して外部に排気させ、回転槽４内の洗濯水や衣類の温度を上昇させ、洗濯やすすぎの性能を向上させるため、排気する熱を有効利用して衣類を温めており省エネが実現可能となる。また、除湿手段１２を回転させる複雑な風路を構成することなく簡単に構成できるものである。
【産業上の利用可能性】
【００４２】
以上のように、本発明にかかる洗濯乾燥機は、吸湿材を使用した除湿手段を使用して衣類等を乾燥させ、低温での乾燥が可能なため、衣類の傷みが少なく、効率よく乾燥させることができるもので、食品機器やその他の分野において低温での乾燥が必要な乾燥機器への用途拡大が可能である。
【図面の簡単な説明】
【００４３】
【図１】本発明の実施の形態１における洗濯乾燥機の縦断面の構成図
【図２】本発明の実施の形態２における洗濯乾燥機の縦断面の構成図
【図３】本発明の実施の形態３における洗濯乾燥機の縦断面の構成図
【図４】本発明の実施の形態４における洗濯乾燥機の縦断面の構成図
【図５】同洗濯乾燥機の他の構成を示す縦断面の構成図
【図６】本発明の実施の形態５における洗濯乾燥機の縦断面の構成図
【図７】本発明の実施の形態６における洗濯乾燥機の縦断面の構成図
【図８】同洗濯乾燥機の他の構成を示す縦断面の構成図
【図９】本発明の実施の形態７における洗濯乾燥機の縦断面の構成図
【符号の説明】
【００４４】
１  筐体
２  水槽
４  回転槽
５  駆動モータ（駆動手段）
６  扉
１０  送風機
１１  循環風路
１２  除湿手段
１３  除湿手段駆動モータ
１４  再生用加熱ヒータ
１５  吸気口
１６  排気ファン
１７  排気口
２０  制御部
２１  排気風路
２４  切り換え弁
２６  熱交換器
２８  冷却ファン
【図１】
2007075241.tif 000003
【図２】
2007075241.tif 000004
【図３】
2007075241.tif 000005
【図４】
2007075241.tif 000006
【図５】
2007075241.tif 000007
【図６】
2007075241.tif 000008
【図７】
2007075241.tif 000009
【図８】
2007075241.tif 000010
【図９】
2007075241.tif 000011